(57)【特許請求の範囲】
【請求項１】
座面を有する座体と、
前記座面に対して略垂直な板状をなして前記座体と隣接する側板と、
前記座体の前側に配置され、利用者の下腿を支持する下腿受け面を有し、前記座体側の基端部に設けられた回転軸回りに傾動可能に設けられた下腿受け部と、
前記座体の後側に配置された背凭れと、
前記座体の下部に配された主脚部と、
前記主脚部よりも前記下腿受け部側に離れた位置となるように前記側板に配された補助脚と、
を備えた医療用椅子装置。
【請求項２】
前記下腿受け部は、前記下腿受け面が前記座体から前方へと延びるレッグアップ位置と、前記基端部から先端部に向かうに従って、前記下腿受け面が前側から後ろ側に向かうように傾斜し、側面視して前記側板の輪郭の内側に前記下腿受け部が格納される格納位置と、の間で傾動可能であり、
前記側板は、側面視して、前記格納位置に前記下腿受け部が格納された状態における前記下腿受け面に略倣って前記座面に対して傾斜する前辺部を有する、
請求項１に記載の医療用椅子装置。
【請求項３】
前記下腿受け部は、前記回転軸回りに前記レッグアップ位置から下方へ９０°を超えて傾動可能である、請求項２に記載の医療用椅子装置。
【請求項４】
前記側板を、前記座体を間に挟んで互いに離間して複数備え、
前記補助脚は、複数の前記側板の各々に設けられている、請求項１から３のいずれか一項に記載の医療用椅子装置。
【請求項５】
前記補助脚は、床面に対して高さ調整可能である、請求項１から４のいずれか一項に記載の医療用椅子装置。
【請求項６】
前記主脚部は、
床面に接地可能な３ 以上の固定用脚部材と、
前記固定用脚部材によって囲まれる領域の外側であるとともに前記固定用脚部材が全て床面に接地しているときに前記床面から離間する位置に配されたキャスターと、
を備える
請求項１から５のいずれか一項に記載の医療用椅子装置。
【発明の詳細な説明】
【技術分野】
【０００１】
本発明は、医療用椅子装置に関する。
【背景技術】
【０００２】
従来、着座者の姿勢を着座姿勢から横臥姿勢まで様々な姿勢に変化させることができる椅子装置が知られている。たとえば特許文献１には、着座者の脚を支えるフレームが前下がりとなる着座モード、又はこのフレームが略水平となるベッドモードとなるように変形可能な多目的チェアが開示されている。
【先行技術文献】
【特許文献】
【０００３】
【特許文献１】特開２００３−９３１８９号公報
【発明の概要】
【発明が解決しようとする課題】
【０００４】
特許文献１に開示された多目的チェアは、ベッドモードにおいて着座者の脚を略水平に支持するように展開されるので、ベッドモードとなっている状態で多目的チェアが転倒しないように前後の脚が離れて配置されている。
【０００５】
しかしながら、特許文献１に開示された多目的チェアは、着座者の脚を支えるフレームが前下がりとなる着座モードにおいて、このフレームよりも前方に前の脚が位置するので、前の脚が邪魔になる場合がある。しかしながら、前の脚の位置を後ろに変更しようとすると、ベッドモードで利用する際に多目的チェアが前側に転倒する可能性がある。
【０００６】
本発明は、上述した事情に鑑みてなされたものであって、転倒しにくく、かつ脚が邪魔にならない医療用椅子装置を提供することを目的とする。
【課題を解決するための手段】
【０００７】
本発明の一態様は、座面を有する座体と、前記座面に対して略垂直な板状をなして前記座体と隣接する側板と、前記座体の前側に配置され、利用者の下腿を支持する下腿受け面を有し、前記座体側の基端部に設けられた回転軸回りに傾動可能に設けられた下腿受け部と、前記座体の後側に配置された背凭れと、前記座体の下部に配された主脚部と、前記主脚部よりも前記下腿受け部側に離れた位置となるように前記側板に配された補助脚と、を備えた医療用椅子装置である。
【０００８】
上記態様の椅子装置は、下腿受け部に荷重がかかった場合に椅子装置が前方側に傾こうとするのを補助脚が支えるので、転倒しにくい。さらに、上記態様の椅子装置の補助脚は側板に設けられているので邪魔にならない。
【０００９】
また、前記下腿受け部は、前記下腿受け面が前記座体から前方へと延びるレッグアップ位置と、前記基端部から先端部に向かうに従って、前記下腿受け面が前側から後ろ側に向かうように傾斜し、側面視して前記側板の輪郭の内側に前記下腿受け部が格納される格納位置と、の間で傾動可能であり、前記側板は、側面視して、前記格納位置に前記下腿受け部が格納された状態における前記下腿受け面に略倣って前記座面に対して傾斜する前辺部を有していてもよい。
この場合、下腿受け部が補助脚と干渉しないように格納位置に下腿受け部を格納することができる。
【００１０】
また、前記側板を、前記座体を間に挟んで互いに離間して複数備え、前記補助脚は、複数の前記側板の各々に設けられていてもよい。
この場合、椅子装置の前方左右側のどちらに傾こうとしても補助脚により転倒を防止できる。
【００１１】
また、前記下腿受け部は、前記回転軸回りに前記レッグアップ位置から下方へ９０°を超えて傾動可能であってもよい。
この場合、下腿受け部が格納位置にあるときに下腿受け部の前下方に踵を入れる空間が生じるので、立ち座り動作がしやすい。
【００１２】
また、前記補助脚は、床面に対して高さ調整可能であってもよい。
この場合、床面に対して補助脚が接触するように調整可能であるので、医療用椅子装置の使用時にがたつきが少ない。
【００１３】
また、前記主脚部は、床面に接地可能な３以上の固定用脚部材と、前記固定用脚部材によって囲まれる領域の外側であるとともに前記固定用脚部材が全て床面に接地しているときに前記床面から離間する位置に配されたキャスターと、を備えていてもよい。
この場合、医療用椅子装置を傾けてキャスターを床面に接地させることができ、その状態で容易に医療用椅子装置を移動させることができる。また、固定用脚部材が全て床面に接地しているときにはキャスターが床面から離間するので、医療用椅子装置に対する立ち座りの際等に意図せずに医療用椅子装置が動いてしまうのを防ぐことができる。
【発明の効果】
【００１４】
本発明の医療用椅子装置によれば、転倒しにくく、かつ脚が邪魔にならない。
【図面の簡単な説明】
【００１５】
【図１】本発明の一実施形態の医療用椅子装置の斜視図である。
【図２】同椅子装置の側面図である。
【図３】同椅子装置の正面図である。
【図４】同椅子装置の下面図である。
【図５】同椅子装置の下腿受け部及び背凭れの動作を説明するための図である。
【発明を実施するための形態】
【００１６】
以下、本発明の実施形態について図面を参照して説明する。なお、以下の説明における前後、左右及び上下の向きは、椅子の座体上で背凭れに背を向けて着座した着座者から見た向きを基準とする。
【００１７】
図１は、本実施形態の医療用椅子装置の斜視図である。図２は、椅子装置の側面図である。図３は、椅子装置の正面図である。図４は、椅子装置の下面図である。図５は、椅子装置の下腿受け部及び背凭れの動作を説明するための図である。
図１に示す本実施形態の椅子装置１は、例えば医療用あるいは介護用に用いられるリクライニング椅子であり、長時間着座使用する際にも着座者が様々な姿勢を取ることができるように、例えば電動により着座者が椅子各部の姿勢及び位置等を任意に調整可能とされる。
【００１８】
図１から図４までに示すように、椅子装置１は、床面Ｆ（図２参照）上に設置される枠状のベースフレーム２と、ベースフレーム２に昇降可能に支持される椅子本体３と、を備える。椅子本体３は、座体４、背凭れ５、下腿受け部６及び左右肘置き７を備えている。
【００１９】
ベースフレーム２は、主脚部２０を有している。
主脚部２０は、例えば４点で椅子装置１を支持するためにベースフレーム２に連結された４つの固定用脚部材２１と、転動可能なキャスター２２とを有している。
【００２０】
固定用脚部材２１は、床面Ｆに対する高さ調整をすることができるようになっている。固定用脚部材２１は、平面視で座面８の四隅の位置に対応するように互いに離間して配置されている。
【００２１】
キャスター２２は、ベースフレーム２における後端部に配置されている。本実施形態では、キャスター２２は、固定用脚部材２１よりも後ろ側に配置されている。キャスター２２は、主脚部２０の４つの固定用脚部材２１が床面Ｆに接地している状態では床面Ｆから離間するような高さに取り付けられている。このため、キャスター２２は、椅子装置１に着座者が座っている場合、及び椅子装置１に対して着座者が立ち座りする場合に、床面Ｆには接触しない。
【００２２】
また、キャスター２２は、椅子装置１を後傾させることで床面Ｆに接触可能となる。すなわち、椅子装置１の前部を持ち上げてキャスター２２を床面Ｆに接触させることにより、キャスター２２を用いて椅子装置１を容易に移動させることができる。
【００２３】
なお、キャスター２２がベースフレーム２に設けられていることは必須ではない。
また、４つの固定用脚部材２１のうち後ろ側の２つが設けられておらず、キャスター２２が床面Ｆに常に接して椅子装置１を支持するようになっていてもよい。なお、この場合、キャスター２２は、固定可能であることが好ましい。
【００２４】
座体４は、平面視矩形状の略水平な座面８（上面）を形成する。座体４の左右側方には、左右側板９（第一側板９１，第二側板９２）が配置される。これら左右側板９の上辺部の間に座体４が配置される。左右側板９は、座面８に対して略垂直な板状をなしている。また、左右側板９の上辺９ａは、側面視で、座面８よりも下方に位置している。また、左右側板９の前方側に位置する前辺部９ｂは、側面視で、上方へ行くに従って前方に行くように前傾している。左右側板９における前傾した前辺部９ｂの間には、格納位置にある下腿受け部６が配置される。座体４、左右側板９及び下腿受け部６は、ボックス状の機構収容部１０を形成する。機構収容部１０の内部には、椅子本体３を昇降させる昇降装置、背凭れ５をリクライニングさせるリクライニング機構等の各種駆動機構が収容される（何れも不図示）。
【００２５】
左右側板９は、椅子装置１の前傾を防ぐための補助脚２３（第一補助脚２３ａ，第二補助脚２３ｂ）を有している。本実施形態では、第一側板９１の下辺部９ｃ１の前部に第一補助脚２３ａが取り付けられており、第二側板９２の下辺部９ｃ２の前部に第二補助脚２３ｂが取り付けられている。
第一補助脚２３ａ及び第二補助脚２３ｂは、互いに独立して高さ調整可能である。椅子装置１の使用時には、第一補助脚２３ａ及び第二補助脚２３ｂが床面に接するように高さが調整され、第一補助脚２３ａ及び第二補助脚２３ｂが椅子装置のがたつき（ぐらつき）を防止することができる。
【００２６】
左右側板９の外側には、左右肘置き７の支持板１１が重なるように配置される。支持板１１における下辺部１１ｃは、側面視で略水平に形成されている。また、支持板１１における前辺部１１ｂは、側面視で、下方から上方へ行くに従って前方に行くように前傾している。さらに、支持板１１における後辺部１１ｄは、側面視で、下方から上方へ行くに従って後方へ行くように後傾している。支持板１１の上辺部１１ａには、略水平な肘置き本体１２が支持される。
【００２７】
左右肘置き７の肘置き本体１２には、着座者の肘を置くことができる。また、左右肘置き７は、肘置き本体１２を昇降動作させることができるように、例えば背凭れ５のリクライニング動作と連動して昇降可能となっている（図５参照）。
【００２８】
図３から図５までに示すように、下腿受け部６は、着座者の脚を載せるための下腿受け面６ｃを有している。下腿受け部６は、座体４の前下方で左右側板９の前辺部９ｂ間に挟まれる格納位置Ｐ１と、座体４の前方で略水平に配置されるレッグアップ位置Ｐ２と、の間で傾動可能とされる。下腿受け部６は、機構収容部１０の前部に支持され、機構収容部１０内の駆動機構の作動により、格納位置Ｐ１とレッグアップ位置Ｐ２との間で傾動可能である。本実施形態では、下腿受け部６は、レッグアップ位置Ｐ２から格納位置Ｐ１まで、下腿受け部６と座体４との隣接部を軸として９０°を超えて傾動可能である。下腿受け部６の格納位置に下腿受け部６が格納されている状態では、下腿受け部６の下端６ａが下腿受け部６の上端６ｂ（下腿受け部６と座体４との隣接部）よりも後方（背凭れ５側）に位置するように、下腿受け部６が座面８に対して傾斜して格納されている。下腿受け部６の下端６ａが下腿受け部６の上端６ｂよりも後方に位置するように下腿受け部６が格納可能であることにより、座体４の前下方に、着座者の踵を入れる空間Ａ１（図２参照）を生じさせることができる。その結果、下腿受け部６が格納位置に格納された状態では、着座者が着座及び起立する際の重心移動が少なくて済むので、座りやすく、立ちやすい。
【００２９】
また、下腿受け部６が格納位置にあるときに、下腿受け部６は左右側板９によって挟まれているので、下腿受け部６と左右側板９との間には、物が挟まりにくい。たとえば、本実施形態の椅子装置１の使用時に椅子装置１とともに使用される輸液セットのチューブ３０は、着座者が輸液スタンド３１を持って起立する際に下腿受け部６の近傍まで引き寄せられる。このとき、左右側板９が設けられていることにより、チューブ３０が下腿受け部６に接触しないので、輸液スタンド３１を着座者が持って起立する過程でチューブ３０が下腿受け部６に引っかかることがない。
【００３０】
なお、下腿受け面６ｃが左右側板９の間に完全に格納されることは必須ではない。すなわち、下腿受け部６は、格納位置Ｐ１にあるときに、左右側板９の側面視における輪郭の内側且つ座体４の下部に少なくとも一部が入り込むように格納される。たとえば、下腿受け部６が格納位置にある状態において、下腿受け面６ｃの反対側の裏面６ｄが側面視で左右側板９の前辺部９ｂよりも後方に位置していればよい。
【００３１】
図５に示すように、背凭れ５は、座体４を間に挟んで下腿受け部６と反対側に配置されている。背凭れ５は、座体４の後上方で起立する起立位置（図２参照）と、座体４の後方で略水平に配置されるリクライニング位置（図５参照）と、の間で傾動可能とされる。背凭れ５は、機構収容部１０の後部に支持され、機構収容部１０内のリクライニング機構の作動により、前記起立位置とリクライニング位置との間で傾動可能である。
【００３２】
背凭れ５は、着座者の背を支持する背凭れ面１３（前面）よりも上方に延出し、背凭れ面１３の上方にヘッドレスト１４を一体形成する。ヘッドレスト１４の前面は頭部支持面１６とされ、この頭部支持面１６の直前位置が着座者の頭部位置とされる。本実施形態において、ヘッドレスト１４は背凭れ５の一部（上部）であるともいえる。なお、頭部支持面１６に別途クッションを設置してもよい。
【００３３】
ヘッドレスト１４の左右側部には、前方かつ左右外側に向けて起立する左右一対の側方遮蔽部１５が一体形成される。これにより、着座者の頭部側方の視界が適度に遮られるとともに、同方向からの視線が適度に遮られる。左右の側方遮蔽部１５には、頭部位置に向けて音声を発するスピーカが内蔵される。
【００３４】
本実施形態の椅子装置１の作用について説明する。
椅子装置１は、背凭れ５を起立位置とし、下腿受け部６を格納位置とすることで、椅子としての態様となる（図２参照）。このとき、肘置き７は上昇位置にあり、この肘置き７上には、着座姿勢にある着座者の肘及び前腕が載置され、化学療法等の医療行為が継続可能とされる。
また、椅子装置１は、背凭れ５をリクライニング位置とし、下腿受け部６をレッグアップ位置Ｐ２とすることで、座体４、背凭れ５及び下腿受け部６を略水平に連ねたベッドとしての態様となる（図５参照）。このとき、肘置き７は下降位置にあり、この肘置き７上には、横臥姿勢にある着座者の肘及び前腕が載置され、リクライニング前の医療行為が継続可能とされる。
【００３５】
このように、椅子装置１は、着座者の姿勢を着座姿勢から横臥姿勢まで様々な姿勢に変化させることができる。なお、背凭れ５、下腿受け部６及び肘置き７は、個々に任意の位置調整を可能としてもよいが、着座者に化学療法等の医療行為が施される場合、背凭れ５のリクライニングと肘置き７の昇降とは連動して行われてもよい。
【００３６】
また、化学療法等の医療行為は長時間に亘ることもあり、椅子装置１から着座者が離れる必要が生じることもある。この場合、図２に示すように、椅子装置１における背凭れ５を起立位置とし、下腿受け部６を格納位置とすることで、着座者は、椅子装置１から容易に起立し、前方へ移動することができる。また、例えば椅子装置１に着座している着座者が輸液を行っている最中に椅子装置１から離れる場合、着座者が輸液スタンド３１を持って輸液スタンド３１とともに移動する場合がある。この場合、本実施形態では、輸液スタンド３１に取り付けられた輸液セットのチューブ３０は、左右側板９には接触するが、下腿受け部６には接触しない。このため、下腿受け部６が傾斜して格納位置に格納された状態で輸液スタンド３１を着座者が前方に移動させる過程で、下腿受け部６にチューブ３０が引っかかることがない。
【００３７】
ところで、下腿受け部６をレッグアップ位置Ｐ２とした状態では、下腿受け部６に着座者が腰かけてしまう可能性がある。この場合、椅子装置１と着座者とを含めた全体の重心は、着座者がいない場合よりも前寄りになってしまう。本実施形態では、椅子装置１の下腿受け部６に着座者が手をついたり腰かけたりするなど荷重をかけた場合に、椅子装置１の前側へと椅子装置１が傾こうとするのを補助脚２３が防止する。これにより、本実施形態では、下腿受け部６に荷重がかかっても椅子装置１が前傾しにくくなっている。
また、補助脚２３が側板９に設けられていることにより、補助脚２３が下腿受け部６の格納の邪魔にならない。
また、本実施形態では、下腿受け部６が格納位置Ｐ１にある状態で、補助脚２３は下腿受け部６よりも後ろ側にある。このため、補助脚２３が下腿受け面６ｃより前方に突出しないため、着座者にとって補助脚２３が邪魔にならない。
【００３８】
以上に説明したように、本実施形態の椅子装置１によれば、椅子装置１が転倒しにくく、かつ脚が邪魔にならない。また、下腿受け部６をレッグアップ位置Ｐ２とした状態で下腿受け部６に荷重がかかったときにも、椅子装置１のがたつき（ぐらつき）が少ないので、着座者が転倒したり着座動作に不安を感じたりする可能性を低く抑えることができる。
【００３９】
また、補助脚２３が高さ調整可能であることにより、補助脚２３が常に床面Ｆに接するように調整可能であるので、椅子装置１のがたつき（ぐらつき）を少なくすることができる。
【００４０】
以上、本発明の実施形態について図面を参照して詳述したが、具体的な構成はこの実施形態に限られるものではなく、本発明の要旨を逸脱しない範囲の設計変更等も含まれる。
例えば、椅子装置１は、格納あるいは移動可能なテーブルを有していてもよい。
また、補助脚２３が高さ調整可能であることは必須ではない。また、補助脚２３は、常に床面に接している必要はなく、床面から補助脚２３が僅かに離間していても、多少のぐらつきはあるものの、椅子装置１が前側に転倒する可能性を低く抑えることが可能である。
【符号の説明】
【００４１】
１  椅子装置
２  ベースフレーム
３  椅子本体
４  座体
６  下腿受け部
６ｃ  下腿受け面
８  座面
９  左右側板
９ｂ  側板の前辺部
１０  機構収容部
１１  支持板
１２  肘置き本体
１３  背凭れ面
１４  ヘッドレスト
１５  側方遮蔽部
１６  頭部支持面
２０  主脚部
２１  固定用脚部材
２２  キャスター
２３  補助脚
３０  チューブ
３１  輸液スタンド
【図１】
0006736818.tif 000002
【図２】
0006736818.tif 000003
【図３】
0006736818.tif 000004
【図４】
0006736818.tif 000005
【図５】
0006736818.tif 000006